(57)【要約】【課題】電源部から調光ユニットを動作させるための電源を供給することができる照明器具を提供する。【解決手段】実施形態に係る照明器具は、、照明負荷と；交流電源から供給される交流電圧を整流する整流回路と、この整流回路の出力に接続されて直流電圧を出力する力率改善回路と、この力率改善回路の出力に接続され、前記照明負荷に直流電圧を印加するＤＣ−ＤＣコンバータと、前記整流回路の出力または前記力率改善回路の出力に接続される電源出力端子と、信号入出力端子と、を有する電源部と；第１信号を第２信号に変換する制御部と、この第２信号を前記電源部の信号入出力端子に送信する通信部と、前記電源部の電源出力端子から前記制御部及び前記通信部の動作のための電力の供給を受け、電圧を変換し前記通信部および前記通信部に電力を供給する電源回路と、を有する調光ユニットと；を具備したことを特徴とする。【選択図】図１
2020080321.tif 000002
【特許請求の範囲】
【請求項１】
照明負荷と；
交流電源から供給される交流電圧を整流する整流回路と、この整流回路の出力に接続されて直流電圧を出力する力率改善回路と、この力率改善回路の出力に接続され、前記照明負荷に直流電圧を印加するＤＣ−ＤＣコンバータと、前記整流回路の出力または前記力率改善回路の出力に接続される電源出力端子と、信号入出力端子と、を有する電源部と；
第１信号を第２信号に変換する制御部と、この第２信号を前記電源部の信号入出力端子に送信する通信部と、前記電源部の電源出力端子から前記制御部及び前記通信部の動作のための電力の供給を受け、電圧を変換し前記通信部および前記通信部に電力を供給する電源回路と、を有する調光ユニットと；
を具備したことを特徴とする照明器具。
【発明の詳細な説明】
【技術分野】
【０００１】
本発明の実施形態は、照明器具に関する。
【背景技術】
【０００２】
ＬＥＤ等の半導体発光素子を用いた照明器具においては、電源部の調光信号には、さまざまな方式があり、上位装置との接続ごとに上位装置に適応するように電源部の構成を変える必要がある。
【先行技術文献】
【特許文献】
【０００３】
【特許文献１】特許第４７９１７９４号公報
【発明の概要】
【発明が解決しようとする課題】
【０００４】
実施形態は、電源部から調光ユニットを動作させるための電源を供給することができる照明器具を提供する。
【課題を解決するための手段】
【０００５】
実施形態に係る照明器具は、照明負荷と；交流電源から供給される交流電圧を整流する整流回路と、この整流回路の出力に接続されて直流電圧を出力する力率改善回路と、この力率改善回路の出力に接続され、前記照明負荷に直流電圧を印加するＤＣ−ＤＣコンバータと、前記整流回路の出力または前記力率改善回路の出力に接続される電源出力端子と、信号入出力端子と、を有する電源部と；第１信号を第２信号に変換する制御部と、この第２信号を前記電源部の信号入出力端子に送信する通信部と、前記電源部の電源出力端子から前記制御部及び前記通信部の動作のための電力の供給を受け、電圧を変換し前記通信部および前記通信部に電力を供給する電源回路と、を有する調光ユニットと；を具備したことを特徴とする。
【発明の効果】
【０００６】
本実施形態では、電源部から調光ユニットを動作させるための電源を供給することが期待できる。
【図面の簡単な説明】
【０００７】
【図１】第１の実施形態に係る照明装置および照明器具を例示するブロック図である。
【図２】第１の実施形態の照明器具の動作を説明するためのフローチャートである。
【図３】図３（ａ）は、第２の実施形態に係る照明器具の外観を例示する斜視図である。図３（ｂ）は、第２の実施形態の照明器具の構造を例示する模式的な断面図である。
【図４】図４（ａ）〜図４（ｃ）は、第２の実施形態の照明器具の動作を説明するためのブロック図である。
【図５】第３の実施形態に係る照明器具を例示するブロック図である。
【図６】第４の実施形態に係る照明器具を例示するブロック図である。
【図７】第４の実施形態の変形例に係る照明器具を例示するブロック図である。
【発明を実施するための形態】
【０００８】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【０００９】
（第１の実施形態）
図１は、本実施形態に係る照明装置を例示するブロック図である。
図１に示すように、本実施形態の照明装置６は、照明ユニット１０と、電源部２０と、を備える。電源部２０は、電源入力端子２５ａ，２５ｂを介して、交流電源２に接続される。交流電源２は、たとえば商用電源である。照明装置６は、交流電源２に接続して、交流電力を直流電力に変換して照明ユニット１０を点灯させる。
【００１０】
照明装置６は、調光ユニット３０と接続することができる。照明装置６は、調光ユニット３０と接続することによって、調光ユニット３０を介して上位装置４に接続することができる。
【００１１】
照明ユニット１０は、１つ以上の発光素子１１を含む。発光素子１１は、たとえばＬＥＤ（Light Emitting Diode）等の半導体発光素子等である。照明ユニット１０は、複数の発光素子１１を含んでもよい。この場合には、発光素子１１は直列に接続される。直列に接続された発光素子１１の直列接続体がさらに並列に接続されてもよい。照明ユニット１０は、２つの接続端子１０ａ，１０ｂを含む。接続端子１０ａは、発光素子１１の最高電位の端子に接続されている。接続端子１０ｂは、発光素子１１の最低電位に接続されている。接続端子１０ａ，１０ｂは、それぞれ電源部２０の電源出力端子２５ｃ，２５ｄに接続される。
【００１２】
電源部２０は、通信部２１と、制御部２２と、記憶部２３と、電力変換部２５と、を含む。電源部２０は、信号入出力端子２１ａ，２１ｂを含む。信号入出力端子２１ａ，２１ｂは、通信部２１の入力に接続されている。信号入出力端子２１ａ，２１ｂは、後述するように、調光ユニット３０の信号入出力端子３９ａ，３９ｂに接続されて、電源部２０は、調光ユニット３０と双方向の通信を行うことができる。
【００１３】
通信部２１は、調光ユニット３０から入力した電源部２０に対する調光度に関するデータを受信し、たとえば受信したデータがシリアルデータの場合には、パラレルデータに変換して、変換されたデータを制御部２２に供給する。
【００１４】
通信部２１は、電源部２０の記憶部２３に格納されている、電源部２０に関するデータを、調光ユニット３０へ送信する。電源部２０に関するデータは、調光ユニット３０に送信された後、調光ユニット３０によって、さらに上位装置４に送信される。上位装置４は、たとえばコンピュータ端末であり、通信ネットワークを介して調光ユニット３０に接続されている。上位装置４は、受信した電源部２０に関するデータを解釈して、そのデータをこの照明器具１の制御のために利用し、またシステム全体の制御のために利用する。
【００１５】
制御部２２は、通信部２１によって受信された調光度に関するデータにもとづいて、電源部２０の出力電流値を設定する参照電圧を発生して電力変換部２５に供給する。電力変換部２５は、入力された参照電圧にしたがって出力電流値を設定して、照明ユニット１０に供給する。
【００１６】
制御部２２は、記憶部２３に接続されており、記憶部２３に格納されている電源部２０に関するデータを取得する。電源部２０に関するデータは、たとえば、負荷オープンや負荷短絡等の器具の異常状態等を含む器具の動作状態に関するデータや、当該照明装置６のアドレスを含む識別情報等の器具の設定情報に関するデータ等である。照明ユニット１０の通算点灯時間に関するデータを含むようにすることもできる。
【００１７】
制御部２２は、この例のように操作部２４に接続するようにしてもよい。操作部２４は、たとえば、リモコン（図示せず）からの通信データを受信する通信モジュール等である。制御部２２は、リモコン等からの操作信号を操作部２４を介して入力し、リモコン等による照明ユニット１０の点灯および消灯を操作し、あるいは調光操作を行う。
【００１８】
制御部２２は、たとえばマイクロコンピュータである。制御部２２は、記憶部２３に格納されたプログラムにしたがって、動作する。この例では、記憶部２３は、制御部２２の外部に設けられているが、記憶部２３のすべて、または一部を制御部２２が内部に有するようにしてもよい。
【００１９】
調光ユニット３０は、通信部３１と、制御部３２と、記憶部３３と、を含む。調光ユニット３０は、信号入出力端子３９ａ，３９ｂを含んでいる。信号入出力端子３９ａ，３９ｂは、通信部３１の出力に接続されており、電源部２０の信号入出力端子２１ａ，２１ｂに接続される。
【００２０】
通信部３１は、上位装置４に接続される。通信部３１は、たとえば無線通信モジュールである。通信部３１は、有線で上位装置４と接続する通信モジュールであってもよい。あるいは、通信部３１は、有線および無線による通信を選択的に行う通信モジュールであってもよい。有線通信を行う場合のために、通信部３１は、接続端子３９ｃ，３９ｄを含む。通信部３１は、上位装置４との間で無線または有線によってデータの交換を行う。通信部３１は、上位装置４から特定の通信プロトコルにしたがうデータを送受信することができる。この場合の通信プロトコルは、たとえば、ＤＭＸ５１２−Ａ、ＤＡＬＩ（Digital Addressable Lighting Interface）、あるいはＴ／Ｆｌｅｃｓ（登録商標）等である。通信プロトコルにしたがうデータに限らず、単なるＰＷＭ（Pulse Width Modulation）信号等であってもよい。通信部３１は、特定の通信プロトコルにしたがうデータを受信して、そのデータをたとえばシリアル−パラレル変換して制御部３２に供給する。
【００２１】
通信部３１は、電源部２０から送信された電源部２０に関するデータを受信し、受信したデータを制御部３２に供給する。
【００２２】
制御部３２は、通信部３１から供給された、特定の通信プロトコルにしたがうデータを共通形式のデータに変換する。共通形式は、たとえばＰＷＭ信号の形式である。制御部３２は、共通形式に変換したデータを通信部３１に供給する。通信部３１は、共通形式に変換されたデータを信号入出力端子３９ａ，３９ｂを介して、電源部２０に供給する。制御部３２は、変換後のデータを通信部３１を介さずに直接信号入出力端子３９ａ，３９ｂを介して電源部２０に供給してもよい。
【００２３】
制御部３２は、通信部３１から供給された電源部２０に関するデータを特定のプロトコルにしたがうデータに変換する。変換されたデータは、通信部３１を介して上位装置４に送信される。つまり、制御部３２は、上位装置４の下で特定の通信プロトコルにしたがうデータを共通形式のデータに変換し、共通形式のデータを特定の通信プロトコルにしたがうデータに変換する。
【００２４】
制御部３２は、たとえばマイクロコンピュータである。制御部３２は、記憶部３３に格納されたプログラムにしたがって動作する。記憶部３３には、接続される上位装置４との間の通信プロトコルを解釈して、所定の出力信号に変換するプログラムが格納されている。また、記憶部３３には、電源部２０から供給された電源部２０に関するデータを特定のプロトコルにしたがうデータに変換するプログラムが格納されている。制御部３２は、これらのプログラムを呼び出すことによって、データの変換を行う。なお、この例では、記憶部３３は、制御部３２の外部に設けられているが、記憶部３３のすべて、または一部を制御部３２が内部に有するようにしてもよい。
【００２５】
本実施形態の照明器具１の動作について説明する。
図２は、本実施形態の照明器具１の動作を説明するためのフローチャートである。
図２に示すように、ステップＳ１において、電源部２０は、自己の状態に関するデータを調光ユニット３０に送信する。自己の状態に関するデータは、記憶部２３に格納されており、制御部２２によって取り出される。電源部２０から調光ユニット３０へ送信されるデータは、共通形式のフォーマットにしたがう。
【００２６】
ステップＳ２において、調光ユニット３０は、電源部２０から送信されてきたデータを上位装置４との通信プロトコルに適応するように形式を変換する。変換されたデータを通信部３１を介して上位装置４に送信する。
【００２７】
上位装置４は、照明器具１の電源部２０に関するデータを確認し、調光度を設定して、所定の通信プロトコルにしたがう形式のデータにして送信する。ステップＳ３において、調光ユニット３０は、送信されてきたデータを受信する。
【００２８】
ステップＳ４において、調光ユニット３０は、上位装置４からのデータを受信し、制御部３２によって電源部２０との通信のための共通形式のデータに変換する。
【００２９】
ステップＳ５において、電源部２０は、調光ユニット３０によって変換された調光度に関するデータにしたがって出力する電流値を設定する。
【００３０】
ステップＳ６において、電源部２０は、設定された調光度に対応する電流を出力して照明ユニット１０を点灯させる。
【００３１】
本実施形態の照明器具の作用および効果について説明する。
本実施形態の照明器具１では、双方向の通信が可能な通信部２１，３１を含んでいるので、上位装置４からの調光度の指定に限らず、照明器具１の側からのデータを上位装置４に送信することができる。上位装置４では、照明器具１の状態、たとえばその照明器具１のアドレスおよび発光素子１１の通算点灯時間等を認識することができる。そのため、その照明器具１に対してより適切な調光度等で点灯させることができる。
【００３２】
上位装置４は、複数の照明器具１，…，１に対して双方向のデータの交換を行うことができるので、１つの照明器具の状態に応じて、他の照明器具の状態を設定し、照明システム全体としてより適切な、点灯状態等を実現することができる。
【００３３】
（第２の実施形態）
上述の実施形態の調光ユニット３０は、照明装置６に対して、着脱可能に接続することができる。調光ユニット３０は、特定の通信プロトコルに適応した通信部３１および制御部３２を有することによって、異なる通信プロトコルを有する上位装置４との接続をはかることができる。
図３（ａ）は、本実施形態に係る照明器具の外観を例示する斜視図である。図３（ｂ）は、本実施形態の照明器具の構造を例示する模式的な断面図である。
本実施形態の照明器具１は、上述の実施形態の場合と同一の回路構成を有している。同一の構成要素には、同一の符号を付して詳細な説明を適宜省略する。
【００３４】
照明器具１は、照明ユニット１０と、電源部２０と、調光ユニット３０と、を備える。調光ユニット３０は、照明ユニット１０とは別体である。また調光ユニット３０は、電源部２０とも別体である。なお、後述するように、照明ユニット１０と電源部２０とを別体とすることができる。
【００３５】
図３（ａ）に示すように、照明ユニット１０、電源部２０および調光ユニット３０は、組み合わされて、全体として一体化された形状とすることができる。一体化された照明器具１は、Ｘ軸方向の長さＡ、Ｙ軸方向の長さ（奥行）ＢおよびＺ軸方向の長さ（高さ）Ｃのほぼ直方体である。この例では、照明ユニット１０のＸＹ平面に平行な面は、電源部２０のＸＹ平面に平行な面とほぼ同一の形状をしており、この面を対向させて、互いに結合させる。結合された照明装置６のＹＺ平面に平行な面は、調光ユニット３０のＹＺ平面に平行な面とほぼ同一の形状をしており、この面を対向させて互いに結合させる。
【００３６】
図３（ｂ）に示すように、照明ユニット１０は、筐体１１０と、基板１１１と、コネクタ１１２と、を含む。筐体１１０は、Ｘ軸方向の長さＡ１、Ｙ軸方向の長さ（奥行）ＢおよびＺ軸方向の長さ（高さ）Ｃ１のほぼ直方体である。筐体１１０は、絶縁性の材料、たとえばポリカーボネート等の合成樹脂素材によって形成されている。筐体の上面（Ｚ軸方向正側）には開口が設けられており、この開口部には透明の樹脂素材がはめ込まれている。透明の樹脂素材を介して、基板１１１上に載置された発光素子１１からの発光光が放出される。
【００３７】
基板１１１は、照明ユニット１０の長さＡ１よりも短い長さと、奥行Ｂよりも短い奥行を有する。基板１１１は、絶縁性の基材を有しており、基材の面には、複数の発光素子１１，…，１１が接続される配線およびランドがあらかじめ形成されている。複数の発光素子１１，…，１１は、それぞれの端子をランド上に載置され、電気的に接続されている。基板１１１には、接続端子１０ａ，１０ｂに接続されているコネクタ１１２が接続されている。この例では、コネクタ１１２は、基板１１１の、発光素子１１が載置されている面とは反対側の面に設けられている。複数の発光素子１１，…，１１が搭載された基板１１１は、筐体１１０内に収納されている。コネクタ１１２は、筐体１１０から先端が突出している。
【００３８】
電源部２０は、筐体１２０と、制御基板１２１と、電源基板１２５と、コネクタ１２２，１２６と、を含む。筐体１２０は、Ｘ軸方向の長さＡ１、Ｙ軸方向の長さ（奥行）ＢおよびＺ軸方向の長さ（高さ）Ｃ２のほぼ直方体である。筐体１２０は、絶縁性の材料で形成されている。照明ユニット１０の筐体１１０と同一の材料により形成されていてもよい。
【００３９】
制御基板１２１上には、通信部２１、制御部２２、記憶部２３等が載置され、制御基板１２１上に設けられた配線およびランド等によってそれぞれ適切に接続されている。コネクタ１２２は、信号入出力端子２１ａ，２１ｂに接続されている。コネクタ１２２は、この例では、制御基板１２１と平行は方向に接続部が向くように設けられている。制御基板１２１上に設けられたコネクタ１２２は、後述する調光ユニットのコネクタ１３２と対向して配置される。
【００４０】
電源基板１２５上には、電力変換部２５が載置され、電源基板１２５上に設けられた配線およびランド等によって適切に接続されている。コネクタ１２６は、照明ユニット１０のコネクタ１１２と対向して配置される。
【００４１】
電源基板１２５は、この例ではコネクタ１２６が開口する向きとは反対側に突出するように電源コネクタ１２７が設けられている。電源コネクタ１２７は、電源入力端子２５ａ，２５ｂに接続されている。電源コネクタ１２７は、筐体１２０から突出して、照明器具１が設置される箇所に設けられたレセプタクルに接続される。
【００４２】
この例では、制御基板１２１は、電源基板１２５とコネクタおよびケーブルによって接続されている。なお、通信部２１、制御部２２、記憶部２３、操作部２４および電力変換部２５は、同一の基板上に載置され接続されてもよい。
【００４３】
制御基板１２１、電源基板１２５およびコネクタ１２２，１２６は、同一の筐体１２０内に収納されている。
【００４４】
照明ユニット１０は、電源部２０と別体であり、照明ユニット１１０のコネクタ１１２と電源部コネクタ１２２とを抜き差しすることによって着脱することが可能であり、同一
形式の照明ユニット１０と交換することができる。同一形式の照明ユニット１０とは、同一の発光色、光出力の発光素子１１を含み、同一の定格電圧および同一の定格電流を有する照明ユニットである。
【００４５】
照明ユニット１０の下面の形状は、電源部２０の上面の形状とほぼ同一であり、照明ユニット１０と電源部２０とをこれらの面で結合させた場合には、一体的な直方体となる。
【００４６】
調光ユニット３０は、筐体１３０と、制御基板１３１と、コネクタ１３２と、を含む。
筐体１３０は、Ｘ軸方向の長さＡ２、Ｙ軸方向の長さ（奥行）ＢおよびＺ軸方向の長さ（高さ）Ｃのほぼ直方体である。筐体１３０は、照明ユニット１０の筐体１１０および電源部２０の筐体１２０と同一の材料により形成される。
【００４７】
制御基板１３１上には、通信部３１、制御部３２および記憶部３３が載置されている。通信部３１、制御部３２および記憶部３３は、制御基板１３１上に設けられた配線およびランド等によって適切に接続されている。
【００４８】
制御基板１３１上には、コネクタ１３２が設けられており、コネクタ１３２は、信号入出力端子３９ａ，３９ｂに接続されている。制御基板１３１およびコネクタ１３２は、同一の筐体１３０内に収納されている。コネクタ１３２は、この例では、先端が筐体から突出している。なお、調光ユニット３０を有線で上位装置４に接続する場合には、上位装置４と接続するためのコネクタ１３５が設けられる。
【００４９】
調光ユニット３０は、コネクタ１３２が突出しているＹＺ平面に平行な面の形状は、照明装置６のＹＺ平面に平行な面の形状とほぼ同一である。そのため、コネクタ１３２を電源部２０のコネクタ１２２に挿入して、調光ユニット３０と照明装置６とを結合すると、一体化された直方体形状が形成される。なお、上述の一体形状は、一例であり、さまざまな形状、デザインとすることができる。
【００５０】
本実施形態の照明器具の動作について説明する。
図４（ａ）〜図４（ｃ）は、本実施形態の照明器具の動作を説明するためのブロック図である。
図４（ａ）に示すように、照明器具１ａは、照明装置６と、調光ユニット３０ａとを備える。照明器具１ａは、調光ユニット３０ａを介して、上位装置４ａに接続されている。上位装置４ａの通信プロトコルは、たとえばＤＭＸ５１２−Ａである。調光ユニット３０ａは、上位装置４ａに接続して、通信プロトコルＤＭＸ５１２−Ａによって双方向通信を行う。調光ユニット３０ａは、電源部２０に関するデータを通信プロトコルＤＭＸ５１２−Ａにしたがうデータに変換する。調光ユニット３０ａは、変換されたデータを上位装置４ａへ送信する。
【００５１】
調光ユニット３０ａは、通信プロトコルＤＭＸ５１２−Ａによって送信されてきたデータを照明装置６（電源部２０）との共通形式のデータに変換する。照明装置６は、共通形式のデータにしたがう調光度に設定し、照明ユニット１０を点灯する。
【００５２】
図４（ｂ）に示すように、照明器具１ｂは、照明装置６と、調光ユニット３０ｂとを備える。照明器具１ｂは、調光ユニット３０ｂを介して、上位装置４ｂに接続されている。上位装置４ｂの通信プロトコルは、たとえばＤＡＬＩである。調光ユニット３０ｂは、上位装置４ｂに接続して、通信プロトコルＤＡＬＩによって双方向通信を行う。調光ユニット３０ｂは、電源部２０に関するデータを通信プロトコルＤＡＬＩにしたがうデータに変換する。調光ユニット３０ｂは、変換されたデータを上位装置４ｂへ送信する。
【００５３】
調光ユニット３０ｂは、通信プロトコルＤＡＬＩによって送信されてきたデータを照明装置６（電源部２０）との共通形式のデータに変換する。照明装置６は、共通形式のデータにしたがう調光度に設定し、照明ユニット１０を点灯する。
【００５４】
図４（ｃ）に示すように、照明器具１ｃは、照明装置６と、調光ユニット３０ｃとを備える。照明器具１ｃは、調光ユニット３０ｃを介して、上位装置４ｃに接続されている。上位装置４ｃの通信プロトコルは、たとえばＴ／Ｆｌｅｃｓ（登録商標）である。調光ユニット３０ｃは、上位装置４ｃに接続して、通信プロトコルＴ／Ｆｌｅｃｓ（登録商標）によって双方向通信を行う。調光ユニット３０ｃは、電源部２０に関するデータを通信プロトコルＴ／Ｆｌｅｃｓ（登録商標）にしたがうデータに変換する。調光ユニット３０ｃは、変換されたデータを上位装置４ｃへ送信する。
【００５５】
調光ユニット３０ｃは、通信プロトコルＴ／Ｆｌｅｃｓ（登録商標）によって送信されてきたデータを照明装置６（電源部２０）との共通形式のデータに変換する。照明装置６は、共通形式のデータにしたがう調光度に設定し、照明ユニット１０を点灯する。
【００５６】
調光ユニット３０ａ，３０ｂ，３０ｃは、それぞれ同一形状の筐体１３０を有しており、同一形状のコネクタ１３２を有している。したがって、同一の照明装置６に対して、調光ユニット３０ａ，３０ｂ，３０ｃを着脱して接続することによって、上位装置４ａ，４ｂ，４ｃに固有の通信プロトコルに適応することができる。
【００５７】
本実施形態の照明器具の作用および効果について説明する。
本実施形態の照明器具１（１ａ，１ｂ，１ｃ）では、特定の通信プロトコルに適応した調光ユニット３０（３０ａ，３０ｂ，３０ｃ）を備えるので、照明器具１（１ａ，１ｂ，１ｃ）は、特定の通信プロトコルを有する上位装置４（４ａ，４ｂ，４ｃ）と双方向通信とすることができる。調光ユニット３０（３０ａ，３０ｂ，３０ｃ）は、同一の照明装置６（電源部２０）にコネクタ１３２を介して着脱可能に接続することができるので、すでに設置された照明装置６に上位装置４（４ａ，４ｂ，４ｃ）を増設する場合等に容易にシステムを構築することができる。同様に、すでに設置された特定の通信プロトコルを有する上位装置４（４ａ，４ｂ，４ｃ）に対して、調光ユニット３０（３０ａ，３０ｂ，３０ｃ）を着脱して交換することによって、特定の通信プロトコルに適応した照明器具１（１ａ，１ｂ，１ｃ）を構成することができる。
【００５８】
また、照明器具１（１ａ，１ｂ，１ｃ）の外形形状は、照明装置６部分が一体化され、さらに照明ユニット３０を組み込んだ状態でも全体として一体化されている。そのため、当初、照明装置６を施工し、後に上位装置を含めたシステム化を行う場合に、全体のデザインが違和感なく調光ユニット３０を追加することができる。
【００５９】
（第３の実施形態）
調光ユニット３０（３０ａ，３０ｂ，３０ｃ）は、単一の通信プロトコルにする場合に限らず、複数の通信プロトコルに適応するようにすることもできる。
図５は、本実施形態に係る照明器具を例示するブロック図である。
図５に示すように、本実施形態の照明器具１ｄは、調光ユニット３０ｄを備える。照明器具１ｄの機械的構成は、上述した実施形態の場合と同様であり、詳細な説明を省略する。
【００６０】
調光ユニット３０ｄは、検出部３４と、複数の制御部３２ａ，３２ｂ，３２ｃと、を含む。検出部３４は、上位装置４に接続される。複数の制御部３２ａ，３２ｂ，３２ｃは、検出部３４の出力に接続されている。検出部３４は、上位装置４からの信号を入力して、通信プロトコルの種類を判別する。検出部３４は、入力された信号の通信プロトコルを判
別して、適切な通信プロトコルに対応するデータを出力する。たとえば、入力したデータの通信プロトコルがＤＭＸ５１２−Ａの場合には、“００”を出力する。入力したデータの通信プロトコルがＤＡＬＩの場合には、“０１”を出力する。入力したデータの通信プロトコルがＴ／Ｆｌｅｃｓ（登録商標）の場合には、“１０”を出力する。
【００６１】
複数の制御部３２ａ，３２ｂ，３２ｃは、それぞれ特定の通信プロトコルを電源部２０との共通形式のデータに変換する。たとえば、制御部３２ａは、ＤＭＸ５１２−Ａにしたがうデータを共通形式のデータに変換する。制御部３２ｂは、ＤＡＬＩにしたがうデータを共通形式のデータに変換する。制御部３２ｃは、Ｔ／Ｆｌｅｃｓ（登録商標）にしたがうデータを共通形式のデータに変換する。たとえば制御部３２ａは、アドレス“００”を有し、制御部３２ｂはアドレス“０１”を有し、制御部３２ｃはアドレス“１０”を有する。
【００６２】
制御部３２ａ，３２ｂ，３２ｃは、それぞれ共通の制御部３２上で動作するデータ変換プログラムであってもよい。
【００６３】
本実施形態の照明器具１ｄの動作について説明する。
本実施形態の照明器具１ｄでは、検出部３４が、上位装置４から送信されてくるデータを入力することによって、そのデータがしたがう通信プロトコルを検出する。通信プロトコルの検出には、送信データの正負の極性等を検出する等周知の方法を用いて行うことができる。
【００６４】
検出部３４は、検出した通信プロトコルに対応したデータを出力する。このデータは、制御部３２ａ，３２ｂ，３２ｃのアドレスを含んでいる。制御部３２ａ，３２ｂ，３２ｃは、これらのうち出力されたデータと同じアドレスを有するものが選択される。たとえば、検出部３４が通信プロトコルＤＭＸ５１２−Ａにしたがうデータを検出した場合には、検出部３４は“００”を出力するので、制御部３２ａが選択される。制御部３２ａは、ＤＭＸ５１２−Ａにしたがうデータを入力して、照明装置６との共通形式のデータに変換する。
【００６５】
本実施形態の照明器具の作用および効果について説明する。
本実施形態の照明器具１ｄでは、調光ユニット３０ｄが複数の通信プロトコルに適応した制御部３２ａ，３２ｂ，３２ｃを有しているので、すでに設置されている照明装置６に、異なる通信プロトコルを有する上位装置４を接続する場合であっても、単一の調光ユニット３０ｄを複数個用意することによって容易にシステムを構築することができる。
【００６６】
（第４の実施形態）
図６は、本実施形態の照明器具を例示するブロック図である。
図６に示すように、電力変換部２５は、整流回路４１と、力率改善回路４２と、ＤＣ−ＤＣコンバータ４３と、を含む。整流回路４１は、電源入力端子２５ａ，２５ｂを介して交流電源２に接続される。整流回路４１は、交流電源２から供給される交流電圧を整流して脈流を出力する。整流回路４１は、たとえば全波整流ダイオードブリッジである。力率改善回路４２は、整流回路４１の出力に接続されている。力率改善回路４２は、脈流を入力し、昇圧して高電圧の直流電圧を出力する。ＤＣ−ＤＣコンバータ４３は、力率改善回路４２の出力に接続されている。ＤＣ−ＤＣコンバータ４３は、高電圧の直流電圧を降圧して照明ユニット１０に印加する直流電圧を生成する。ＤＣ−ＤＣコンバータ４３は、照明ユニット１０に流れる電流を定電流制御する。
【００６７】
照明装置６は、電源出力端子２５ｅ，２５ｆを含む。電源出力端子２５ｅ，２５ｆは、それぞれ整流回路４１の出力端子４１ａ，４１ｂに接続されている。
【００６８】
照明装置６は、電源回路２６を含む。電源回路２６は、平滑回路を含んでおり、整流回路４１の出力端子４１ａ，４１ｂに接続されている。電源回路２６は、整流回路４１の出力から非安定の直流電圧を入力して、通信部２１、制御部２２、記憶部２３および操作部２４等に動作のための電力を供給する。
【００６９】
調光ユニット３０ｅは、電源回路３５を含む。調光ユニット３０は、電源入力端子３５ａ，３５ｂを含む。電源入力端子３５ａ，３５ｂは、照明装置６の電源出力端子２５ｅ，２５ｆにそれぞれ接続される。電源回路３５は、平滑回路を含んでおり、整流回路４１の出力から非安定の直流電圧を入力して、通信部２１、制御部２２および記憶部２３等に動作のための電力を供給する。
【００７０】
電源出力端子２５ｅ，２５ｆは、信号入出力端子２１ａ，２１ｂと同一のコネクタ１２２ａに接続されている。電源入力端子３５ａ，３５ｂは、信号入出力端子３９ａ，３９ｂと同一のコネクタ１３２ａに接続されている。つまり、照明装置６のコネクタ１２２ａと調光ユニット３０ｅのコネクタ１３２ａとを接続することによって、調光ユニット３０ｅは、照明装置６に着脱可能に接続することができる。調光ユニット３０ｅは、コネクタ１３２ａを介して照明装置６に着脱可能に接続したときに、照明装置６から通信部等の動作のための電力の供給を受けることができる。
【００７１】
本実施形態の照明器具１ｅの動作について説明する。
本実施形態の照明器具１ｅは、上述した他の実施形態の場合と同様に動作させることができる。調光ユニット３０ｅは、コネクタ１３２ａを介して照明装置６の整流回路４１の出力から脈流を入力して、平滑化後、電源回路３５によって所望の電圧に変換して、通信部３１等に供給する。電源回路３５、通信部３１、制御部３２および記憶部３３のそれぞれにおいて供給されるべき電圧等が相違する場合に応じた電圧を生成する。
【００７２】
本実施形態の照明器具１ｅの作用および効果について説明する。
本実施形態の照明器具１ｅでは、電源回路３５が、整流回路４１の出力から脈流の電圧を供給されて動作する。脈流の電圧のピーク値は、交流電圧のピーク値の絶対値に等しいので、交流電源２が商用電源の場合には、１４０Ｖ程度である。したがって、電源回路３５には、低耐圧の平滑用コンデンサやスイッチング素子を用いることができ、小型かつ定コストな回路を構成することができる。
【００７３】
（第４の実施形態の変形例）
図７は、本変形例の照明器具を例示するブロック図である。
図７に示すように、調光ユニット３０ｅのための電源出力端子２５ｇ，２５ｈは、力率改善回路４２の出力端子４２ａ，４２ｂに接続されている。電源出力端子２５ｇ，２５ｈは、信号入出力端子２１ａ，２１ｂと同一のコネクタ１２２ｂに接続されている。
【００７４】
本変形例の照明器具１ｆの場合にも、調光ユニット３０ｅは、照明装置６に着脱可能に接続され、同時に電力の供給を受けることができる。
【００７５】
本変形例の照明器具１ｆの作用および効果について説明する。
本変形例の照明器具１ｆでは、力率改善回路４２の出力に接続された電源回路３５ａを有するので、照明器具１ｆ全体の力率、あるいは高調波電流を抑制することができる。調光ユニット３０ｅの通信部３１等の消費電力が大きいような場合には、照明器具全体の消費電力が大きくなるので、照明器具１ｆ全体の力率を改善することが好ましい。
【００７６】
以上説明した実施形態によれば、調光ユニットが別構成となった場合の調光ユニットと
電源部との通信については、各種方式に対応できる照明装置および照明器具を実現することができる。
【００７７】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００７８】
１  照明器具、２  交流電源、４  上位装置、  ６  照明装置、１０  照明ユニット、１１  発光素子、２０  電源部、２１  通信部、２２  制御部、２４  操作部、２５  電力変換部、２６  電源回路、３０  調光ユニット、３１  通信部、３２  制御部、３３  記憶部、３４  検出部、３５  電源回路、４１  整流回路、４２  力率改善回路、４３  ＤＣ−ＤＣコンバータ、１１０  筐体（照明ユニット）、１１１  基板、１１２  コネクタ、１２０  筐体（電源部）、１２１  制御基板、１２２  コネクタ、１２５  電源基板、１２６  コネクタ、１２７  電源コネクタ、１３０  筐体、１３１  制御基板、１３２  コネクタ
【図１】
2020080321.tif 000003
【図２】
2020080321.tif 000004
【図３】
2020080321.tif 000005
【図４】
2020080321.tif 000006
【図５】
2020080321.tif 000007
【図６】
2020080321.tif 000008
【図７】
2020080321.tif 000009